(57)【要約】      （修正有）【課題】防災受信盤に電流監視装置の機能を一体化して設備構成及び処理を簡略化すると共に、検知信号を出力した端末機器を、信号回線の電流値を測定して異常を判定している電流監視機能を利用して識別表示を可能とする。【解決手段】防災受信盤からの信号回線１２−２１に接続された消火栓装置１８−１〜１８−４に設けられた検知スイッチを備えた手動通報装置１６−１〜１６−４は、検知スイッチのオンにより異なった回線電流を流す抵抗値の異なる抵抗ＲA〜ＲDが検知スイッチと直列に接続される。防災受信盤の監視制御部は、信号回線１２−２１により検知信号を受信した場合に、電流監視部に指示して検知信号が受信された信号回線１２−２１に流れる電流値を測定させ、測定された電流値に基づき検知信号を出力した手動通報装置が設けられた消火栓装置を識別して表示させる。【選択図】図６
2019079378.tif 000002
【特許請求の範囲】
【請求項１】
防災受信盤からトンネル内に引き出された信号回線毎に接続され、検知スイッチのオンにより回線電流を流して検知信号を出力する複数の端末機器と、
前記防災受信盤に設けられ、前記信号回線から前記検知信号を受信して所定の制御処理を行う監視制御部と、
前記防災受信盤に設けられ、前記複数の信号回線に流れる電流値を所定の測定周期毎に測定して測定履歴として記憶し、前記測定した電流値が所定の閾値範囲を外れた場合に電流値異常を判定して電流値異常警報を出力する電流監視部と、
を備えたトンネル防災システムに於いて、
前記信号回線に接続された複数の端末機器は、前記検知スイッチのオンにより異なった回線電流を流す抵抗値の異なる抵抗が前記検知スイッチと直列に接続され、
前記監視制御部は、前記信号回線により前記検知信号を受信した場合に、前記電流監視部に指示して前記検知信号が受信された前記信号回線に流れる電流値を測定させ、測定された電流値に基づき前記検知信号を出力した前記端末機器を識別して表示させることを特徴とするトンネル防災システム。
【請求項２】
請求項１記載のトンネル防災システムに於いて、
前記端末機器は、火災通報操作により前記検知スイッチをオンして火災信号を出力する消火栓装置に設けられた手動通報装置であり、
前記監視制御部は、前記信号回線から前記火災信号を受信した場合に、火災警報を出力させると共に、前記電流監視部に指示して前記火災信号が受信された前記信号回線に流れる電流値を測定させ、測定された電流値に基づき前記火災信号が出力された前記消火栓装置を識別して表示させることを特徴とするトンネル防災システム。
【請求項３】
請求項１記載のトンネル防災システムに於いて、
前記端末機器は、消火栓装置に設けられた消火栓弁開閉レバーの開操作又はポンプ起動スイッチの起動操作により前記検知スイッチをオンして消火栓起動信号を出力する消火栓起動装置であり、
前記監視制御部は、前記信号回線から前記消火栓起動信号を受信した場合に、消火ポンプ設備にポンプ起動信号を送信して運転を開始させると共に、前記電流監視部に指示して前記消火栓起動信号が受信された前記信号回線に流れる電流値を測定させ、測定された電流値に基づき前記消火栓起動信号が出力された前記消火栓装置を識別して表示させることを特徴とするトンネル防災システム。
【請求項４】
請求項２又は３記載のトンネル防災システムに於いて、
前記防災受信盤の筐体前面に、トンネル内の消火栓装置の配置に対応して複数の消火栓表示灯が配列されたトンネル系統図が表示されたグラフィックパネルが配置され、
前記監視制御部は、前記火災信号又は前記消火栓起動信号の出力が識別された消火栓装置に対応した前記グラフィックパネルの中の前記消火栓表示灯を作動させることを特徴とするトンネル防災システム。
【請求項５】
請求項４記載のトンネル防災システムに於いて、
前記グラフィックパネルには、トンネル長手方向に分割した区画に対応して複数の区画表示灯が前記手動通報装置と前記消火栓起動装置に分けて配列され、
前記監視制御部は、前記火災信号又は前記消火栓起動信号が受信された前記信号回線に対応した前記グラフィックパネルの中の回線表示灯を作動させることを特徴とするトンネル防災システム。
【請求項６】
請求項４又は５記載のトンネル防災システムに於いて、
前記防災受信盤の筐体内にモニタ装置が配置され、
前記電流監視部は、所定の測定履歴読出し操作を検出した場合に、前記測定履歴を読み出して前記モニタ装置に画面表示させることを特徴とするトンネル防災システム。
【請求項７】
請求項４記載のトンネル防災システムに於いて、
前記防災受信盤の筐体前面に、前記グラフィックパネルに代えて第２のモニタ装置が設けられ、
前記監視制御部は、前記第２のモニタ装置に、トンネル内の消火栓装置の配置に対応して複数の消火栓シンボルが配列されると共に、信号回線毎に接続された複数の手動通報装置又は消火栓起動装置単位にトンネル内を分割した区画に対応して複数の区画シンボルが配列されたトンネル系統図を画面表示させ、前記火災信号又は前記消火栓起動信号の出力が識別された消火栓装置に対応した前記トンネル系統図の中の前記消火栓シンボルの表示を変化させると共に、前記火災信号又は前記消火栓起動信号が受信された前記信号回線に対応した前記トンネル系統図の中の前記区画シンボルの表示を変化させることを特徴とするトンネル防災システム。
【発明の詳細な説明】
【技術分野】
【０００１】
本発明は、トンネル内に設置した通報装置や検知器等の端末機器を防災受信盤に接続してトンネル内の異常を監視するトンネル防災システムに関する。
【背景技術】
【０００２】
従来、自動車専用道路等のトンネルには、トンネル内で発生する火災事故から人身及び車両を守るため、非常用施設が設置されている。
【０００３】
このような非常用施設としては、火災の監視と通報のため火災検知器、手動通報装置、非常電話が設けられ、また火災の消火や延焼防止のために消火栓装置が設けられ、更にトンネル躯体やダクト内を火災から防護するために水噴霧ヘッドから消火用水を散水させる水噴霧などが設置され、これらの非常用施設の端末機器を監視制御する防災受信盤を設けることで、トンネル防災システムを構築している。
【０００４】
防災受信盤と端末機器で構成するトンネル防災システムは、Ｒ型伝送方式とＰ型直送方式に大別される。Ｒ型伝送方式は、伝送回線にアドレスを設定した火災検知器等の端末機器を接続し、伝送制御により端末機器単位に検知と制御を行う個別管理を可能とする。Ｐ型直送方式は、端末機器の種別に応じて所定の区画単位に分け、区画単位に引き出した信号回線に同一区画に属する複数の端末機器を接続し、信号回線単位に検知と制御を行う。
【０００５】
ところで、Ｐ型直送方式のトンネル防災システムにあっては、手動通報装置、消火栓起動装置、ダクト温度検知器等の端末機器は、操作又は検知による信号出力部を無電圧ａ接点スイッチとして構成し、防災受信盤から引き出された信号回線に無電圧ａ接点スイッチ接続している。無電圧ａ接点スイッチは通常監視状態でオフしており、操作や検知動作によりオンして無電圧接点信号を出力する。
【０００６】
具体的には、防災受信盤に設けられた回線受信部で信号回線の一方にプルアップ抵抗を介して電源電圧を印加しており、無電圧ａ接点スイッチがオフした定常監視状態では、信号回線に消費電流は殆ど流れず、防災受信盤から見た信号回線間の電源電圧は略電源電圧に保たれている。無電圧ａ接点スイッチがオンすると信号回線に電流が流れ、防災受信盤から見た信号回線間の電圧は略零ボルトに低下し、防災受信盤の回線受信部は信号回線の消費電流の増加又は信号回線間の電圧低下を検出して端末機器の操作又は検知を示す受信信号を制御部に出力する。
【０００７】
例えば手動通報装置からの火災信号であれば、防災受信盤は、火災表示、端末側の応答ランプの点灯制御、手動通報区画表示といった制御動作を行うと共に、遠方監視制御設備、テレビ監視設備、可変式道路情報板設備、トンネル換気設備、照明設備等の外部設備に火災通報信号を送信して所定の対処制御を行わせるようにしている。
【０００８】
また、消火栓装置に設けられた消火栓弁開閉検出スイッチ等の消火栓起動装置からの消火栓起動信号であれば、防災受信盤は、消火ポンプ設備にポンプ起動信号を送信して遠隔的に消火ポンプ設備を起動運転させるようにしている。
【先行技術文献】
【特許文献】
【０００９】
【特許文献１】特開２００２−２４６９６２号公報
【特許文献２】特開平１１−１２８３８１号公報
【発明の概要】
【発明が解決しようとする課題】
【００１０】
このような従来のＰ型直送方式のトンネル防災システムにあっては、端末機器を接続している信号回線（外線ケーブル）の経年劣化等により絶縁低下が進み、端末機器を接続している信号回線に通常監視状態で想定される以上の電流が流れ、防災受信盤は端末機器の操作又は検知動作による信号受信と判断して警報動作を行うと共に、遠方監視制御設備、テレビ監視設備、可変式道路情報板設備、トンネル換気設備、照明設備等の他設備を連動し、トンネルを通行止めにすることが度々生じている。
【００１１】
この問題を解決するため、防災受信盤とは別の筐体に電流監視装置を設け、無電圧ａ接点スイッチを設けた端末機器を接続した信号回線に流れる電流を、例えば１日１回というように定周期で測定して記録し、更に、測定した電流が所定の閾値範囲を外れた場合に信号回線の電流値異常を判定して警報するようにしている。
【００１２】
ところで、従来の防災受信盤にあっては、盤前面にトンネル系統図を描いたグラフィックパネルを配置している。グラフィックパネルのトンネル系統図には、例えばトンネル長手方向に設置された消火栓装置を矩形シンボルの配列で表示すると共に、トンネル長手方向に分割した区画に対応して複数の区画表示灯が手動通報装置と消火栓起動装置に分けて配列されている。
【００１３】
防災受信盤は、例えば消火栓装置に設けた手動通報装置から火災信号を受信して火災警報を出力すると、火災信号を受信した信号回線に対応した区画シンボルの区画表示灯を点灯し、手動通報が行われた区画が識別できるようにしている。
【００１４】
しかしながら、手動通報が行われた区画が区画表示灯の点灯でわかっても、手動通報が行われた消火栓装置は不明であり、現場に出向いて確認しないと分からない問題がある。
【００１５】
この問題を解決するためにはＰ型直送方式とせず、端末機器のアドレスが分かるＲ型伝送方式とすればよいが、それでは車両の通行量やトンネル長さを考慮したＰ型直送方式のメリットを生かすことができず、Ｐ型直送方式において区画表示に加え、区画内の作動した端末機器を識別表示できることが望まれる。
【００１６】
また、従来は防災受信盤に対し電流監視装置を別の筐体に設けているため、防災受信盤から火災情報や障害情報等を電流測定装置に送って測定履歴と共に記憶させる伝送機能と処理機能が必要となり、設備構成と処理が複雑になる問題もある。
【００１７】
本発明は、防災受信盤に電流監視装置の機能を一体化して設備構成及び処理を簡略化すると共に、区画単位に引き出された信号回線に接続された複数の端末機器の内の作動した端末機器を、信号回線の電流値を測定して異常を判定している電流監視機能を利用して識別表示を可能とするＰ型直送方式のトンネル防システムを提供することを目的とする。
【課題を解決するための手段】
【００１８】
（トンネル防災システム）
本発明は、
防災受信盤からトンネル内に引き出された信号回線毎に接続され、検知スイッチのオンにより回線電流を流して検知信号を出力する複数の端末機器と、
防災受信盤に設けられ、信号回線から検知信号を受信して所定の制御処理を行う監視制御部と、
防災受信盤に設けられ、複数の信号回線に流れる電流値を所定の測定周期毎に測定して測定履歴として記憶し、測定した電流値が所定の閾値範囲を外れた場合に電流値異常を判定して電流値異常警報を出力する電流監視部と、
を備えたトンネル防災システムに於いて、
信号回線に接続された複数の端末機器は、検知スイッチのオンにより異なった回線電流を流す抵抗値の異なる抵抗が検知スイッチと直列に接続され、
監視制御部は、信号回線により検知信号を受信した場合に、電流監視部に指示して検知信号が受信された信号回線に流れる電流値を測定させ、測定された電流値に基づき検知信号を出力した端末機器を識別して表示させることを特徴とする。
【００１９】
（火災通報装置の識別表示）
端末機器は、火災通報操作により検知スイッチをオンして火災信号を出力する消火栓装置に設けられた手動通報装置であり、
監視制御部は、信号回線から火災信号を受信した場合に、火災警報を出力させると共に、電流監視部に指示して火災信号が受信された信号回線に流れる電流値を測定させ、測定された電流値に基づき火災信号が出力された消火栓装置を識別して表示させる。
【００２０】
（消火栓起動装置の識別表示）
端末機器は、消火栓装置に設けられた消火栓弁開閉レバーの開操作又はポンプ起動スイッチの起動操作により検知スイッチをオンして消火栓起動信号を出力する消火栓起動装置であり、
監視制御部は、信号回線から消火栓起動信号を受信した場合に、消火ポンプ設備にポンプ起動信号を送信して運転を開始させると共に、電流監視部に指示して消火栓起動信号が受信された信号回線に流れる電流値を測定させ、測定された電流値に基づき消火栓起動信号が出力された消火栓装置を識別して表示させる。
【００２１】
（グラフィクスパネルによる消火栓装置の識別表示）
防災受信盤の筐体前面に、トンネル内の消火栓装置の配置に対応して複数の消火栓表示灯を配列したトンネル系統図が表示されたグラフィックパネルが配置され、
監視制御部は、火災信号又は消火栓起動信号の出力が識別された消火栓装置に対応したグラフィックパネルの中の消火栓表示灯を作動させる。
【００２２】
（グラフィックスパネルによる区画表示）
グラフィックパネルには、トンネル長手方向に分割した区画に対応して複数の区画表示灯が手動通報装置と消火栓起動装置に分けて配列され、監視制御部は、火災信号又は消火栓起動信号が受信された信号回線に対応したグラフィックパネルの中の回線表示灯を作動させる。
【００２３】
（筐体内のモニタ装置）
防災受信盤の筐体内にモニタ装置が配置され、
電流監視部は、所定の測定履歴読出し操作を検出した場合に、測定履歴を読み出してモニタ装置に画面表示させる。
【００２４】
（第２のモニタ装置）
防災受信盤の筐体前面に、グラフィックパネルに代えて第２のモニタ装置が設けられ、
監視制御部は、第２のモニタ装置に、トンネル内の消火栓装置の配置に対応して複数の消火栓シンボルが配列されると共に、信号回線毎に接続された複数の手動通報装置又は消火栓起動装置単位にトンネル内を分割した区画に対応して複数の区画シンボルが配列されたトンネル系統図を画面表示させ、前記火災信号又は前記消火栓起動信号の出力が識別された消火栓装置に対応した前記トンネル系統図の中の前記消火栓シンボルの表示を変化させると共に、前記火災信号又は前記消火栓起動信号が受信された前記信号回線に対応した前記トンネル系統図の中の前記区画シンボルの表示を変化させる。
【発明の効果】
【００２５】
（基本的な効果）
本発明は、防災受信盤からトンネル内に引き出された信号回線毎に接続され、検知スイッチのオンにより回線電流を流して検知信号を出力する複数の端末機器と、防災受信盤に設けられ、信号回線から検知信号を受信して所定の制御処理を行う監視制御部と、防災受信盤に設けられ、複数の信号回線に流れる電流値を所定の測定周期毎に測定して測定履歴として記憶し、測定した電流値が所定の閾値範囲を外れた場合に電流値異常を判定して電流値異常警報を出力する電流監視部とを備えたトンネル防災システムに於いて、信号回線に接続された複数の端末機器は、検知スイッチのオンにより異なった回線電流を流す抵抗値の異なる抵抗が検知スイッチと直列に接続され、監視制御部は、信号回線により検知信号を受信した場合に、電流監視部に指示して検知信号が受信された信号回線に流れる電流値を測定させ、測定された電流値に基づき検知信号を出力した端末機器を識別して表示させるようにしたため、伝送回線に接続された複数の端末機器の何れかの検知スイッチがオンすると、検知スイッチに接続された抵抗により決まる固有の値を持つ回線電流が流れることで検知信号が出力され、防災受信盤に設けられた電流監視部が検知信号を受信した信号回線の電流値を測定することで、測定した電流値から同じ信号回線に接続しているどの検知スイッチがオンしたかを識別するこができ、Ｐ型直送方式であっても、検知信号を出力した端末機器を簡単に識別して表示することができる。
【００２６】
また、防災受信盤と一体に電流監視部が設けられたため、電流監視装置を別筐体に設けていた場合に比べ、設備構成及び処理が簡単となり、設置スペースも低減できる。
【００２７】
（火災通報装置の識別表示による効果）
また、端末機器は、火災通報操作により検知スイッチをオンして火災信号を出力する消火栓装置に設けられた手動通報装置であり、監視制御部は、信号回線から火災信号を受信した場合に、火災警報を出力させると共に、電流監視部に指示して火災信号が受信された信号回線に流れる電流値を測定させ、測定された電流値に基づき火災信号が出力された消火栓装置を識別して表示させるようにしたため、同じ信号回線に接続されている複数の消火栓装置に設けられた手動通報装置の何れかが操作されて火災信号が出力された場合、火災信号が受信された信号回線の電流値を測定することで、火災信号を出力した手動通報装置を設けている消火栓装置を簡単に識別して表示することができ、現場に出向くことなく、火災通報が行われたトンネル内の位置を特定して適切な対応を可能とする。
【００２８】
（消火栓起動装置の識別表示による効果）
また、端末機器は、消火栓装置に設けられた消火栓弁開閉レバーの開操作又はポンプ起動スイッチの起動操作により検知スイッチをオンして消火栓起動信号を出力する消火栓起動装置であり、監視制御部は、信号回線から消火栓起動信号を受信した場合に、消火ポンプ設備にポンプ起動信号を送信して運転を開始させると共に、電流監視部に指示して消火栓起動信号が受信された信号回線に流れる電流値を測定させ、測定された電流値に基づき消火栓起動信号が出力された消火栓装置を識別して表示させるようにしたため、同じ信号回線に接続されている複数の消火栓装置の何れかで消火栓開閉レバーの開操作が行われて消火栓起動信号が出力された場合、消火栓起動信号が受信された信号回線の電流値を測定することで、消火栓開閉レバーの開操作が行われた消火栓装置を簡単に識別して表示することができ、現場に出向くことなく、消火活動に使用されている消火栓装置を知ることができ、トンネル内における火災現場の状況を適切に把握することを可能とする。
【００２９】
（グラフィクスパネルによる消火栓装置の識別表示の効果）
また、防災受信盤の筐体前面に、トンネル内の消火栓装置の配置に対応して複数の消火栓表示灯を配列したトンネル系統図が表示されたグラフィックパネルが配置され、監視制御部は、火災信号又は消火栓起動信号の出力が識別された消火栓装置に対応したグラフィックパネルの中の消火栓表示灯を作動させるようにしたため、グラフィックパネルのトンネル系統図の中に配列した消火栓シンボルを示す消火栓表示灯が点灯又は点滅することで、手動通報装置が操作された消火栓装置や消火栓起動装置が操作された消火栓装置を簡単且つ容易に識別できる。
【００３０】
（グラフィックスパネルによる区画表示の効果）
また、グラフィックパネルには、トンネル長手方向に分割した区画に対応して複数の区画表示灯が手動通報装置と消火栓起動装置に分けて配列され、監視制御部は、火災信号又は消火栓起動信号が受信された信号回線に対応したグラフィックパネルの中の回線表示灯を作動させるようにしたため、グラフィックパネルの中に配列された区画シンボルを示す区画表示灯が点灯又は点滅することで、手動通報装置や消火栓起動装置が操作された区画を簡単且つ容易に識別でき、更に、点灯又し点滅している区画表示灯に対応して配列されている区画内の消火栓表示灯の点灯又は点滅により、区画内の何番目の消火栓装置が操作されたが簡単且つ容易に把握できる。
【００３１】
（筐体内モニタ装置による効果）
また、防災受信盤の筐体内にモニタ装置が配置され、電流監視部は、所定の測定履歴読出し操作を検出した場合に、測定履歴を読み出してモニタ装置に画面表示させるようにしたため、信号回線の絶縁劣化等を監視するために測定された電流値の測定履歴をモニタ装置の画面により見ることで、信号回線の劣化状態を適切に把握可能となり、また、火災信号や消火栓起動信号を受信した信号回線について測定した電流値の測定履歴が生成されていることから、火災信号や消火栓起動信号の履歴も併せてモニタ装置で見ることを可能とする。
【００３２】
（第２のモニタ装置による効果）
また、防災受信盤の筐体前面に、グラフィックパネルに代えて第２のモニタ装置が設けられ、監視制御部は、第２のモニタ装置に、トンネル内の消火栓装置の配置に対応して複数の消火栓シンボルが配列されると共に、信号回線毎に接続された複数の手動通報装置又は消火栓起動装置単位にトンネル内を分割した区画に対応して複数の区画シンボルが配列されたトンネル系統図を画面表示させ、火災信号又は消火栓起動信号の出力が識別された消火栓装置に対応したトンネル系統図の中の消火栓シンボルの表示を変化させると共に、火災信号又は消火栓起動信号が受信された信号回線に対応したトンネル系統図の中の区画シンボルの表示を変化させるようにしたため、手動通報装置又は消火栓起動装置が操作されると、第２のモニタ画面に表示されているトンネル系統図の中の操作された地区シンボルとその地区シンボルに対応して配列された消火栓シンボルの表示色が変化したり、フリッカすることで、操作された消火栓装置や区画が簡単且つ容易に識別できる。
【００３３】
また、信号回線の絶縁劣化等を監視するために測定された電流値の測定履歴を筐体内に配置されたモニタ装置の画面により見ることで、第２のモニタ装置による防災監視の表示を制約することなく、測定履歴から信号回線の劣化状態を適切に把握可能となり、更に、火災信号や消火栓起動信号を受信した信号回線について測定した電流値の測定履歴も生成されていることから、火災信号や消火栓起動信号の履歴を併せてモニタ装置で見ることを可能とする。
【図面の簡単な説明】
【００３４】
【図１】トンネル防災システムの概要を示した説明図
【図２】防災受信盤の外観を示した説明図
【図３】防災受信盤のパネル扉を開いてモニタ装置を見る状態を示した説明図
【図４】図２のグラフィックパネルを取り出して示した説明図
【図５】トンネル防災システムの機能構成の概略を示したブロック図
【図６】信号回線に接続された手動通報装置の回路構成を示した回路ブロック図
【図７】図６の手動通報装置のスイッチオンにより流れる信号回線の電流を識別する閾値の設定を示した説明図
【図８】消火栓番号、区画、及び区画内の消火栓装置識別符号の関係を示した説明図
【図９】定周期測定による測定履歴を表示したモニタ装置の測定記録画面を示した説明図
【図１０】絞込み条件の設定により抽出された測定履歴が表示されるモニタ装置の測定記録絞込み画面を示した説明図
【図１１】防災受信盤による防災監視制御を示したフローチャート
【図１２】防災受信盤の他の実施形態を示した説明図
【発明を実施するための形態】
【００３５】
［トンネル防災システムの概要］
図１はトンネル防災システムの概要を示した説明図である。図１に示すように、自動車専用道路のトンネルとして、上り線トンネル１ａと下り線トンネル１ｂが構築され、上り線トンネル１ａと下り線トンネル１ｂは避難連絡坑２でつながっている。
【００３６】
上り線トンネル１ａと下り線トンネル１ｂの内部には、トンネル長手方向の監視員通路の壁面に沿って例えば５０メートル間隔で消火栓装置１８が設置されている。
【００３７】
消火栓装置１８は消火栓扉内にノズル付きホースを収納しており、火災時には消火栓扉を開いてノズル付きホースを引き出し、消火栓弁開閉レバーを開操作すると消火用水が放水され、また、消火栓弁開閉検出スイッチ１４がオンし、消火栓起動信号を防災受信盤１０に出力して消火ポンプを起動させる。
【００３８】
また、消火栓装置１８には通報装置扉が設けられており、通報装置扉には手動通報装置（発信機）１６が設けられている。このように消火栓装置１８には、消火栓弁開閉検出スイッチ１４、及び手動通報装置１６が端末機器として設けられており、それぞれ接点手段として機能する無電圧ａ接点スイッチのオンにより、消火栓起動信号及び火災通報信号（火災信号）が出力される。
【００３９】
なお、消火栓装置１８には消防隊が使用するポンプ起動スイッチが設けられているが、消火栓弁開閉検出スイッチ１４と同じ消火栓起動信号を出力するシステム的には同一のスイッチであることから、以下、消火栓弁開閉検出スイッチ（ポンプ起動スイッチを含む）１４として説明する。また、手動通報装置１６は、消火栓装置１８以外に、非常電話ボックス内にも設置しているが、以下の説明では、消火栓装置１８に設けた手動通報装置を代表として説明する。
【００４０】
トンネル非常設備として、消火栓装置１８以外に、火災検知器、自動弁装置、ダクト内温度検知器等が設けられているが、図示を省略している。
【００４１】
火災検知器はトンネル長手方向の壁面に沿って例えば２５メートル又は５０メートル間隔で設置され、左右２５メートル又は５０メートルとなる両側に監視エリアを設定し、火災による炎を検出して火災発報する。
【００４２】
自動弁装置は水噴霧設備を構成しており、作動用電動弁の遠隔開制御により主弁を開駆動し、トンネル壁面の上部の長手方向に設置した複数の水噴霧ヘッドから消火用水を放水してトンネル躯体を火災から防護する。
【００４３】
ダクト内温度検知器は、トンネル長手方向の監視員通路の内部の配管やケーブルを敷設したダクトに配置されており、ケーブル火災等によるダクト内の温度上昇を検出し、接点手段として機能する無電圧ａ接点スイッチのオンにより温度検知信号を出力する。
【００４４】
上り線トンネル１ａ及び下り線トンネル１ｂの監視センター等には防災受信盤１０が設置されている。防災受信盤１０には、上り線トンネル１ａ及び下り線トンネル１ｂの防災監視機能に加え、端末機器を接続したＰ型の信号回線の電流を監視する電流監視機能が設けられている。
【００４５】
防災受信盤１０からは上り線トンネル１ａと下り線トンネル１ｂの内に、トンネル長手方向に分割した所定の区画毎に、例えば６区画に分けてＰ型の信号回線１２−１１〜１２−１６、１２−２１〜１２−２６が引き出され、本実施形態にあっては、４台の消火栓装置１８で１区画を形成しており、区画単位に設けられた複数の消火栓弁開閉検出スイッチ１４及び手動通報装置１６が同じ信号回線に接続されている。
【００４６】
なお、ダクト内に設置されたダクト内温度検出器に対しても、同様にＰ型の信号回線が区画単位に引き出され、区画単位に設けられた複数のダクト内温度検知器が接続されているが、図示を省略している。また、信号回線１２−１１〜１２−２６は、区別する必要がない場合は、信号回線１２という場合がある。
【００４７】
Ｐ型の信号回線１２は信号線とコモン線で構成され、消火栓装置１８の消火栓弁開閉検出スイッチ１４、手動通報装置１６及びダクト内温度検知器の各々に設けた無電圧ａ接点スイッチを接続した場合は、それぞれの操作又は検知動作により無電圧ａ接点スイッチをオンして回線電流を流すことで、消火栓起動信号、火災通報信号（火災信号）、温度検知信号を防災受信盤１０に送るようにしている。
【００４８】
またトンネルの非常用施設としては、消火栓装置１８、火災検知器及び自動弁装置以外に、消火ポンプ設備２０、ダクト用の冷却ポンプ設備２２、ＩＧ子局設備２４、換気設備２８、警報表示板設備３０、ラジオ再放送設備３２、テレビ監視設備３４及び照明設備３６等が設けられており、ＩＧ子局設備２４をデータ伝送回線で接続する点を除き、それ以外の設備はＰ型信号回線により防災受信盤１０に個別に接続されている。ここで、ＩＧ子局設備２４は、防災受信盤１０と外部に設けた上位設備である遠方監視制御設備２６とをネットワーク２５を経由して結ぶ通信設備である。
【００４９】
換気設備２８は、トンネル内の天井側に設置しているジェットファンの運転による高い吹き出し風速によってトンネル内の空気にエネルギーを与えて、トンネル長手方向に空気の流れを起こす設備である。
【００５０】
また、警報表示板設備３０は、トンネル内の利用者に対して、トンネル内の異常を、電光表示板に表示して知らせる設備である。ラジオ再放送設備３２は、トンネル内で運転者等が道路管理者からの情報を受信できるようにするための設備である。テレビ監視設備３４は、火災の規模や位置を確認したり、水噴霧設備の作動、避難誘導を行う場合のトンネル内の状況を把握するための設備である。照明設備３６はトンネル内の照明機器を駆動して管理する設備である。
【００５１】
［防災受信盤］
図２は防災受信盤の外観を示した説明図であり、図２（Ａ）に正面を示し、図２（Ｂ）に側面を示す。図３は防災受信盤のパネル扉を開いてモニタ装置を見る状態を示した説明図である。
【００５２】
（前面パネルと筐体内のモニタ装置）
図２に示すように、防災受信盤１０は、前後に開放された箱形の筐体６２の前面に、ハンドル操作により開閉自在なパネル扉６４が設けられ、また、筐体６２の裏面にも、バンドル操作により開閉自在な裏扉６６が設けられている。
【００５３】
パネル扉６４の表側には、トンネル系統図に区画表示灯及び消火栓表示灯が配列されたグラフィックパネル４４、複数の代表灯が配列された表示パネル５５、及び各種の操作スイッチと電話機が配置された操作パネル５２が設けられる。
【００５４】
筐体６２の内部には、タッチパネル付きの液晶ディスプレイを用いたモニタ装置４６が配置されている。図３に示すように、防災受信盤１０のパネル扉６４を開くと、筐体６２内に支持枠６８に配置されているモニタ装置４６が現れ、モニタ装置４６の画面に信号回線の電流値測定結果や判定結果を含む電流値の測定履歴を表示させることができる。
【００５５】
（グラフィックパネル）
図４は図２のグラフィックパネルを取り出して示した説明図である。図４に示すように、グラフィックパネル４４の中央上部には火災代表灯１００が設けられ、その下のトンネル名に続いて、トンネル系統図として、上り線トンネル系統図１０２ａと下り線トンネル系統図１０２ｂが描かれている。
【００５６】
上り線トンネル系統図１０２ａは、消火栓配置部１０４、手動通報装置配置部１０６及び消火栓起動装置配置部１０８の３段に分けられている。消火栓配置部１０４には、トンネル長手方向に５０メートル間隔で配置された例えば２２台の消火栓装置を示す矩形の消火栓シンボルとして消火栓表示灯１１０が配列されている。
【００５７】
手動通報装置配置部１０６は、Ｐ型の信号回線に対応して６区画の区画シンボルに分けられており、各区画シンボルには「１〜６」の区画番号（回線番号に対応）が表記され、また、各区画シンボルの中に区画表示灯１１２が設けられている。なお、区画表示灯１１２が配置された区画シンボルは、４つの消火栓表示灯１１０に対応して配列されているが、最後の区画シンボルは消火栓番号か２１番と２２番の２台の消火栓表示灯１１０に対応して配列されている。
【００５８】
消火起動装置配置部１０８も同様に、Ｐ型の信号回線に対応して６つの区画シンボルに分けられており、各区画シンボルには「１〜６」の区画番号が表記され、また、各区画シンボルに回線表示灯１１４が設けられている。なお、消火栓配置部１０４、手動通報装置配置部１０６及び消火栓起動装置配置部１０８は下り線トンネル系統図１０２ｂについても同様になる。
【００５９】
グラフィックパネル４４に設けられた消火栓表示灯１１０及び回線表示灯１１２，１１４は、対応する信号回線からの信号受信による火災又は消火栓起動が判定された場合に点灯される。
【００６０】
［防災受信盤の構成］
（防災受信盤の概要）
図５はトンネル防災システムの機能構成の概略を示したブロック図である。図５に示すように、防災受信盤１０は制御部４０を備え、制御部４０は例えばプログラムの実行により実現される機能であり、ハードウェアとしてはＣＰＵ、メモリ、ＡＤ変換ポートを含む各種の入出力ポート等を備えたコンピュータ回路等を使用する。
【００６１】
制御部４０に対しては、トンネル内に設置した各種の端末機器をＰ型の信号回線１２により接続したＰ型伝送部４２が設けられ、また、制御部４０に対しグラフィックパネル４４、モニタ装置４６、スピーカ、ブザー、警報表示灯等を備えた警報部４８、各種表示灯を備えた表示パネル５０、各種スイッチを備えた操作パネル５２を設け、更に、ＩＧ子局設備２４、換気設備２８、警報表示板設備３０、ラジオ再放送設備３２、テレビ監視設備３４、照明設備３６、消火ポンプ設備２０及び冷却ポンプ設備２２をＰ型の信号回線により個別に接続したＰ型伝送部５４が設けられている。
【００６２】
Ｐ型伝送部５４には、上り線トンネル１ａに引き出された信号回線１２−１１〜１２−１ｎ，１２−２１〜１２−２ｎに対応して回線受信部６０が設けられ、回線受信部６０には信号回線に流れる電流を検出する電流検出部６１が設けられている。
【００６３】
また、Ｐ型伝送部５４には、下り線トンネル１ｂに引き出された信号回線１２−１１〜１２−１ｎ，１２−２１〜１２−２ｎに対応して、同様に、回線受信部６０が設けられ、回線受信部６０には信号回線に流れる電流を検出する電流検出部６１が設けられている。
【００６４】
（手動通報装置の構成）
図６は信号回線に接続された手動通報装置の回路構成を示した回路ブロック図である。
【００６５】
図６に示すように、防災受信盤１０の回線受信部６０から引き出された例えば信号回線１２−２１には消火栓装置１８−１〜１８−４に設けられた手動通報装置１６−１〜１６−４のスイッチが接続されており、手動通報装置１６−１〜１６−４のスイッチには異なる抵抗値をもつ抵抗ＲA，ＲB，ＲC，ＲDが直列に接続されている。
【００６６】
本実施形態ではＲA，ＲB，ＲC，ＲDの間に
ＲA＜ＲB＜ＲC＜ＲD
の関係が設定されており、手動通報装置１６−１〜１６−４のスイッチオンにより信号回線１２−２１に流れる電流をＩA，ＩB，ＩC，ＩDとすると、
ＩA＞ＩB＞ＩC＞ＩD
の関係が得られている。
【００６７】
また、信号回線１２−２１の終端には終端抵抗Ｒ0が接続されて断線監視電流ＩOを流しており、抵抗値は
ＲO＜ＲA＜ＲB＜ＲC＜ＲD
の関係にあることから、電流値は
ＩA＞ＩB＞ＩC＞ＩD＞ＩO
の関係が得られている。
【００６８】
図７は図６の手動通報装置のスイッチオンにより流れる信号回線の電流を識別する閾値の設定を示した説明図である。
【００６９】
図７に示すように、信号回線１２−２１に流れる手動通報装置１６−１〜１６−４のスイッチオンにより流れる電流をＩA，ＩB，ＩC，ＩD及び断線監視電流ＩOに対し、電流閾値Ｉｔｈ１，Ｉｔｈ２，Ｉｔｈ３，Ｉｔｈ４，Ｉｔｈ５を図示のように設定することで、手動通報装置１６−１〜１６−４の識別符号をＡ，Ｂ，Ｃ，Ｄとすると、信号回線１２−２１に流れる電流値を測定することで、断線、監視、識別符号Ａの手動通報装置１６−１のスイッチオン、識別符号Ｂの手動通報装置１６−１２のスイッチオン、識別符号Ｃの手動通報装置１６−３のスイッチオン、及び識別符号Ｄの手動通報装置１６−４のスイッチオンを判別することができる。
【００７０】
図８は消火栓番号、区画、及び区画内の消火栓装置識別符号の関係を示した説明図である。例えば図６の信号回線１２−２１に接続した手動通報装置１６−１からの手動通信号の受信により第１区画に対応した区画番号１が識別され、また、図７に示した信号回線１２−２１に流れる電流値ＩAの測定により識別符号Ａが識別され、このような（区画番号１、識別符号Ａ）の組み合わせにより、図８に示す関係からトンネル内に配置している２２台の消火栓装置１８の中から消火栓番号１の消火栓装置で火災通報操作が行われたことを識別することができる。
【００７１】
この点は信号回線１２−１２〜１２−２６に接続している他の自動通報装置１６、及び、信号回線１２−１１〜１２−１６に接続された消火栓弁検出スイッチ１４についても同様となる。
【００７２】
具体的には、防災制御盤１０の制御部４０に設けられたメモリに、図８の関係に基づき、区画番号と識別符号の組を索引として消火栓番号を記憶したテーブル情報を記憶するようにしている。
【００７３】
制御部４０にはプログラムの実行により実現される機能として、監視制御部５６及び電流監視部５８の機能が設けられている。
【００７４】
（監視制御部）
監視制御部５６はトンネル内に設置した消火栓装置１８に設けられた消火栓弁開閉検出スイッチ１４、手動通報装置１６、火災検知器、ダクト内温度検知器、及び自動弁装置等の端末機器からの検知信号や操作信号に基づき、所定の監視制御を行う。
【００７５】
また、監視制御部５６は、例えば消火栓装置１８に設けた手動通報装置１６の操作による火災通報信号（火災信号）を、回線受信部６０を介して受信した場合、警報部４８により主音響鳴動を行うと共に図４に示したグラフィックパネル４４の火災代表灯１００を点灯又は点滅して火災代表表示を行い、また、火災通報信号を受信した信号回線に対応した手動通報装置配置部１０６の区画表示灯１１２を点灯して手動通報区画表示を行い、また消火栓装置１８に応答信号を送信して応答ランプを点灯させる。
【００７６】
また、監視制御部５６は、火災通報信号の受信に続いて、消火栓装置に設けられた消火栓弁開閉レバーの操作に伴う消火栓弁開閉検出スイッチ１４のオンによる消火栓起動信号を回線受信部６０を介して受信した場合、図４に示したグラフィックパネル４４の消火栓起動信号を受信した信号回線に対応した消火栓起動装置配置部１０８の区画表示灯１１４を点灯して消火栓起動地区表示を行い、更に、ポンプ起動信号を消火ポンプ設備２０に送信して消火ポンプを起動させる。
【００７７】
更に、監視制御部５６は、火災通報信号の受信に基づく他設備に対する制御として、ＩＧ子局設備２４を介して遠方監視制御設備２６に火災通報信号を送信して警報させる制御、テレビ監視設備３４により火災通報区画を表示する制御、警報表示板設備３０により手動通報区画の火災通報を表示する制御、換気設備２８により手動通報区画を換気する制御、照明設備３６により手動通報区画を照明する制御等を行う。
【００７８】
また、監視制御部５６は、ダクト内温度が上昇してダクト内温度検知器からダクト内温度検知信号を受信した場合、冷却ポンプ設備２２にポンプ起動信号を出力し、ダクト内に設置したヘッドから散水してダクト内を冷却する制御を行う。
【００７９】
また、監視制御部５６は、信号回線１２の断線障害を監視しており、手動通報装置１６に対する信号回線の断線障害を検出すると、警報部４８により障害音響鳴動を行うと共に図２に示した表示パネル５０の手動通報回線断線灯を例えば黄色点灯し、また、消火栓弁開閉検出スイッチ１４に対する信号回線１２の断線障害を検出すると、警報部４８により障害音響鳴動を行うと共に図５に示した表示パネル５０の消火栓回線断線灯を例えば黄色点灯する制御を行う。
【００８０】
（電流監視部）
電流監視部５８は、消火栓弁開閉検出スイッチ１４及び手動通報装置１６を含む無電圧ａ接点スイッチを備えた端末機器を接続した信号回線１２の電流値を測定し、測定した電流値が所定の上限値と下限値で決まる閾値範囲を外れた場合に電流値異常を判定し、測定結果を測定履歴として着脱自在なメモリカードを用いたメモリに記憶する制御を行う。
【００８１】
電流監視部５８による信号回線１２の電流値の測定は、例えば、図５の電流検出部６１に設けられた信号回線１２に挿入した電流検出抵抗の検出電圧をＡＤ変換して読み込み、ノイズの影響を除去するため、所定時間測定した電流値の平均値を求める。
【００８２】
ここで、電流監視部５８による電流値測定には、定周期測定、自動測定、手動測定がある。電流監視部５８の定周期測定は、所定周期毎、例えば１日１回の周期で全ての信号回線１２の電流値を順次測定し、測定した電流値が所定の閾値範囲を外れた場合に電流値異常を判定し、測定結果及び判定結果を測定履歴としてメモリに記憶させる制御を行う。
【００８３】
電流監視部５８による電流値の自動測定は、モニタ装置４６による自動測定操作を検出した場合に、全ての信号回線１２に流れる電流値を順次測定し、測定した電流値が所定の閾値範囲を外れた場合に電流値異常を判定し、測定結果をモニタ装置４６に画面表示させる制御を行う。
【００８４】
電流監視部５８による電流値の手動測定は、モニタ装置４６による信号回線の選択を含む手動測定操作を検出した場合に、選択された信号回線に流れる電流値を測定し、測定した電流値が所定の閾値範囲を外れた場合に電流値異常を判定し、測定結果をモニタ装置４６に画面表示させる制御を行う。
【００８５】
また、電流監視部５８は、モニタ装置４６による測定履歴表示操作を検出した場合、メモリに記憶されている電流値の測定履歴をモニタ装置４６に画面表示させる制御を行う。
【００８６】
電流監視部５８は、定周期測定、自動測定又は手動測定の測定中は、図５に示した表示パネル５０の中の電流監視装置測定中灯を緑色点灯し、また、定周期測定、自動測定又は手動測定により電流値異常が判定された場合、図５に示した表示パネル５０の中の手動通報電流値異常灯又は消火栓電流値異常灯を黄色点灯させて代表表示させる制御を行う。
【００８７】
また、電流監視部５８は、モニタ装置４６による異常履歴表示操作を検出した場合、メモリに記憶されている電流値の測定履歴から電流値異常が判定されている測定履歴を抽出してモニタ装置４６に時系列的に画面表示させる制御を行う。
【００８８】
［信号回線の電流値測定に基づく作動した端末の識別表示］
（手動通報装置の識別表示）
図５の防災受信盤１０の制御部４０に設けられた監視制御部５６は、例えば図６に示した信号回線１２−２１に接続された４台の消火栓装置１８−１〜１８−４の何れかに設けられている手動通報装置１６−１〜１６−４の火災通報操作によるスイッチオンで出力された火災通報信号を受信した場合に、電流監視部５８に指示して火災通報信号が受信された信号回線１２−２１に流れる電流値を測定させ、測定された電流値が例えば図７に示す電流閾値Ｉｔｈ２〜Ｉｔｈ３の範囲内にあることを判別した場合、識別符号Ａに対応した図６に示した手動通報装置１６−１のスイッチオンによる火災通報信号であることを判別し、図４のグラフィックパネル４４の上り線トンネル系統図１０２ａの消火栓配置部１０４における消火栓番号が１番の消火栓表示灯１１０を点灯又は点滅し、消火栓装置１８−１で火災通報操作が行われたことを識別表示させる制御を行う。
【００８９】
このように防災受信盤１０は、火災通報信号が受信された場合、火災通報信号が受信された信号回線１２の電流値を測定することで、火災通報信号を出力した手動通報装置１６を設けている消火栓装置１８を簡単に識別して表示することができ、現場に出向くことなく、火災通報が行われたトンネル内の位置を特定して適切な対応を可能とする。
【００９０】
（消火栓起動装置の識別表示による効果）
図５の防災受信盤１０の制御部４０に設けられた監視制御部５６は、例えば信号回線１２−１１に接続された４台の消火栓装置１８の何れかに設けられている消火栓弁開閉レバーの開操作により消火栓弁開閉検出スイッチ１４がオンして出力された消火栓起動信号を受信した場合に、電流監視部５８に指示して消火栓起動信号が受信された信号回線１２−１１に流れる電流値を測定させ、測定された電流値が例えば図７に示す電流閾値Ｉｔｈ２〜Ｉｔｈ３の範囲内にあることを判別した場合、識別符号Ａに対応した消火栓弁開閉検出スイッチ１４のオンによる消火栓起動信号であることを判別し、図４のグラフィックパネル４４の上り線トンネル系統図１０２ａの中の消火栓配置部１０４における消火栓番号が１番の消火栓表示灯１１０を点灯又は点滅し、消火栓装置１８−１で消火栓起動操作が行われたことを識別表示させる制御を行う。
【００９１】
このため防災受信盤１０は、消火栓起動信号が受信された場合、消火栓起動信号が受信された信号回線１２の電流値を測定することで、消火栓起動信号を出力した消火栓弁開閉検出スイッチ１４を設けている消火栓装置１８を簡単に識別して表示することができ、現場に出向くことなく、消火活動に使用されている消火栓装置１８を知ることができ、トンネル内における火災現場の状況を適切に把握することを可能とする。
【００９２】
（モニタ装置による測定記録画面の表示）
図９は定周期測定による測定履歴を表示したモニタ装置の測定記録画面を示した説明図である。
【００９３】
図９に示すように、モニタ画面７０の下側には、自動測定選択ボタン７３、手動測定選択ボタン７４、測定記録選択ボタン７５、異常履歴選択ボタン７６及び回線選択ボタン７７が配置され、ハッチングで示すように、測定記録選択ボタン７５を操作すると、図示の測定記録画面７２が表示される。
【００９４】
測定記録画面７２の右側には、ページ表示７８、ページ切替ボタン７９，８０、ファイル保存ボタン８１及びメモリ取出ボタン８２が配置される。
【００９５】
ページ切替ボタン７９，８０を操作することで測定履歴詳細情報８３のページ切替えを可能としている。ファイル保存ボタン８１は測定結果のメモリ格納を指示する。メモリ取出ボタン８２は防災受信盤１０から電流値測定情報を記憶したメモリを取り出す場合に操作する。
【００９６】
測定記録画面７２の画面中央に表示された測定履歴詳細情報８３は、「Ｎｏ」で示す回線番号、日時、項目、上限値／下限値、測定値及び判定の各項目に分けて、信号回線毎に情報が一覧表示される。ここで、回線番号００４にあっては、測定値が１．２５ｍＡであり、上限値１．００ｍＡを超えていることから「ＮＧ」の表示により電流値異常と判定されている。それ以外の回線番号の測定値は上限値と下限値の範囲に収まっていることから「ＯＫ」の表示により正常と判定されている。
【００９７】
電流監視部５８は、１日１回の測定周期により測定された電流値の測定履歴を記憶しており、測定記録選択ボタン７５の操作で、記憶している履歴情報に基づき測定履歴詳細情報８３を画面表示するが、監視制御部５６の指示に基づき火災通報信号又は消火栓起動信号を受信した信号回線の電流値を測定して操作された消火栓装置を識別表示させた場合にも、測定された電流値を測定履歴として記憶させている。
【００９８】
このため図９のように測定記録画面７２を表示させた場合には、火災通報信号や消火栓起動信号の受信で測定された電流値の測定履歴も見ることができ、火災発生時刻や消火栓起動時刻等を調査することができる。
【００９９】
（測定履歴の絞込み表示）
図９の測定記録画面７２の下側に配置された回線選択ボタン７７を操作すると、図１０に示す測定記録絞込み画面８４の表示に切り替えられる。
【０１００】
図１０の測定記録絞込み画面８４には、系統選択部８５、装置選択部８６、区画選択部８７、確定ボタン８８、解除ボタン８９、ページ表示９０、ページ切替ボタン９１，９２、及び閉鎖ボタン９３が設けられている。
【０１０１】
系統選択部８５は上り線と下り線から選択する。装置選択部８６は、手動通報、消火栓、ダクトから選択する。区画選択部８７は区画番号を入力する。
【０１０２】
測定記録絞込み画面８４において、例えば「上り線の手動通報装置における区画０１」の測定記録に絞込みたい場合には、図示のように、系統選択部８５に「上り線」、装置選択部８６に「手動通報」、区画選択部８７に「０１」を設定し、確定ボタン８８を操作すると、対応する絞込み測定記録９４が表示される。
【０１０３】
この状態で解除ボタン８９を操作すると、絞込み条件及び絞込み測定記録９４がクリアされる。また、閉鎖ボタン９３を操作すると、図８の測定記録画面７２に戻る。
【０１０４】
このような測定記録絞込み画面８４の機能を利用することで、記憶されている膨大な測定記録の中から、系統、装置、区画の組み合わせた絞込み条件の設定により測定記録を絞り込んで表示させることができ、例えば、火災通報信号又は消火栓起動信号の受信で測定された電流値を画面表示させて、火災発生時刻や消火栓起動時刻等を簡単に調査することを可能とする。
【０１０５】
なお、測定記録の絞込み条件としては、系統、装置、区画に加え、期間を選択できるようにしても良い。
【０１０６】
［防災監視制御］
図１０は防災受信盤による防災監視制御を示したフローチャートであり、図５の防災受信盤に設けられた監視制御部５６及び電流監視部５８の制御動作となる。
【０１０７】
図１０に示すように、電流監視部５８はステップＳ１で１日１回の電流値の測定周期に達したことを判別するとステップＳ２に進み、全ての信号回線の電流値を順次測定して電流値異常の有無を判定し、測定結果及び判定結果を測定履歴としてメモリに記憶させる電流値測定制御を行う。
【０１０８】
続いて、監視制御部５６はステップＳ３で火災通報信号の受信の有無を監視しており、火災通報信号の受信を判別するとステップＳ４に進んで火災警報制御を行い、次にステップＳ５で火災通報のあった区画番号を火災通報信号を受信した信号回線から識別する。
【０１０９】
続いて、監視制御部５６はステップＳ６に進み、電流監視部５８に指示して火災通報信号を受信した信号回線の電流値を測定させ、測定された電流値に基づきステップＳ７で通報元の消火栓番号を識別する。
【０１１０】
続いて監視制御部５６はステップＳ８に進み、図４のグラフィックパネル４４の中の火災通報のあった区画の区画表示灯１１２と消火栓表示灯１１０を点灯させて、火災通報のあった区画と消火栓装置を表示させる。
【０１１１】
続いて、監視制御部５６はステップＳ９で消火栓起動信号の受信を監視しており、消火栓起動の受信を判別するとステップＳ１０に進んで消火ポンプ起動制御を行い、次にステップ１１で消火栓起動のあった区画番号を消火栓起動信号を受信した信号回線から識別する。
【０１１２】
続いて、監視制御部５６はステップＳ１２に進み、電流監視部５８に指示して消火栓起動信号を受信した信号回線の電流値を測定させ、測定された電流値に基づきステップＳ１３で起動元の消火栓番号を識別する。
【０１１３】
続いて監視制御部５６はステップＳ１４に進み、図４のグラフィックパネル４４の中の消火栓起動のあった区画の区画表示灯１１４と消火栓表示灯１１０を点灯させて、消火栓起動が行われた区画と消火栓装置を表示させる。
【０１１４】
続いて、監視制御部５６はステップＳ１５に進んで火災復旧の有無を判別しており、トンネル内での火災が鎮火して火災復旧が判別されるとステップＳ１６で所定の復旧処理を行った後、ステップＳ１に戻り通常の防災監視制御を行う。
【０１１５】
［メインモニタ装置を備えた防災受信盤］
図１２は防災受信盤の他の実施形態を示した説明図であり、図１２（Ａ）に正面を示し、図１２（Ｂ）に側面を示す。
【０１１６】
図１２に示すように、本実施形態の防災受信盤１０は、前後に開放された箱形の筐体６２の前面にハンドル操作により開閉自在に設けられたパネル扉６４の表側には、図２の実施形態に設けられたグラフィックパネル４４に代えて、タッチパネル付きの液晶ディスプレイを用いた第２のモニタ装置９６が設置され、その下に、操作表示部９８が配置されている。
【０１１７】
第２のモニタ装置９６の画面には、図２の防災受信盤１０のグラフィックパネル４４に描かれた図４に示すトンネル系統図に相当する画像が画面表示され、更に、トンネル防災監視に関する所定の情報が表示される。
【０１１８】
筐体６４の内部には、図２の実施形態と同様に、タッチパネル付きの液晶ディスプレイを用いたモニタ装置４６が配置され、図９及び図１０に示した電流値の測定履歴が読出し表示される。
【０１１９】
このように第２のモニタ装置９６を設けた防災受信盤１０にあっては、図５に示したグラフィックパネル４４に代えて第２のモニタ装置９６を設けた点が相違し、それ以外の構成及び制御機能は同じになる。
【０１２０】
このため第２のモニタ装置９６を設けた防災受信盤１０は、火災通報信号又は消火栓起動信号を受信した場合に、第２のモニタ装置９６に画面表示しているトンネル系統図の中の火災通報操作又は消火栓起動操作が判別された消火栓シンボルの表示色を変化させるかフリッカさせると共に、火災通報信号又は消火栓起動信号が受信された信号回線に対応したトンネル系統図の中の区画シンボルの表示を変化させるかフリッカさせることで、操作された消火栓装置や区画が簡単且つ容易に識別できる。
【０１２１】
また、信号回線の絶縁劣化等を監視するために測定された電流値の測定履歴をモニタ装置４６の画面により見ることで、信号回線の劣化状態を適切に把握可能となり、また、火災通報信号や消火栓起動信号の受信で測定された電流値の測定履歴も記憶されていることから、火災通報信号や消火栓起動信号の電流値の測定履歴も併せてモニタ装置４６で見ることを可能とする。
【０１２２】
［本発明の変形例］
本発明は、その目的と利点を損なわない適宜の変形を含み、更に上記の実施形態に示した数値による限定は受けない。
【符号の説明】
【０１２３】
１ａ：上り線トンネル
１ｂ：下り線トンネル
１０：防災受信盤
１２，１２−１１〜１２−２６：信号回線
１４：消火栓弁開閉検出スイッチ
１６：手動通報装置
１８：消火栓装置
２０：消火ポンプ設備
２２：冷却ポンプ設備
２４：ＩＧ子局設備
２６：遠方監視制御設備
２８：換気設備
３０：警報表示板設備
３２：ラジオ再放送設備
３４：テレビ監視設備
３６：照明設備
４０：制御部
４２，５４：Ｐ型伝送部
４４：グラフィックパネル
４６：モニタ装置
４８：警報部
５０：表示パネル
５２：操作パネル
５６：監視制御部
５８：電流監視部
６０：回線受信部
６１：電流検出部
６２：筐体
６４：パネル扉
７０：モニタ画面
７２：測定記録画面
８４：測定記録絞込み画面
９６：第２のモニタ装置
１００：火災代表灯
１０２ａ：上り線トンネル系統図
１０２ｂ：下り線トンネル系統図
１０４：消火栓配置部
１０６：手動通報装置配置部
１０８：消火栓起動装置配置部
１１０：消火栓表示灯
１１２，１１４：回線表示灯
【図１】
2019079378.tif 000003
【図２】
2019079378.tif 000004
【図３】
2019079378.tif 000005
【図４】
2019079378.tif 000006
【図５】
2019079378.tif 000007
【図６】
2019079378.tif 000008
【図７】
2019079378.tif 000009
【図８】
2019079378.tif 000010
【図９】
2019079378.tif 000011
【図１０】
2019079378.tif 000012
【図１１】
2019079378.tif 000013
【図１２】
2019079378.tif 000014